(57)【要約】      （修正有）【課題】壁二面が直交する角部上方に設置されたキャビネットであっても、コーナーの奥行方向後方側のみの収納空間を上下、前後方向に移動ように形成することにより、収納物の出し入れが楽に行える。【解決手段】部屋の入隅上方に設置する昇降式ウォールキャビネット１であって、上面視五角形状の外筐体１００と、前記前面の少なくとも一部に前面開口部と、前記外筐体１００の底面に底面開口部と、前記前面開口部に設けられた所定奥行きの固定収納空間２００と、前記固定収納空間２００の後方に設けられた昇降棚５００とを有し、前記昇降棚５００は前記固定収納空間背面に設けられた昇降ベース部材３００によって、前記外筐体内部から前記底面開口部を通過して下方に昇降可能に接続され、前記昇降ベース部材３００と前記昇降棚５００は、少なくとも前記昇降棚５００が最下端に到達した場合に前方方向にスライド自在に連結されている。【選択図】図２
2010252936.tif 000002
【特許請求の範囲】
【請求項１】
部屋の入隅上方に設置する昇降式ウォールキャビネットであって、
部屋の第一の壁面に固定される第一の裏面と、
部屋の第二の壁面に固定される第二の裏面と、
前記第一の裏面と略垂直に連結された第一の側板と、
前記第二の裏面と着垂直に連結された第二の側板と、
前記第一の側板の前端部と、前記第二の側板の前端部を結んだ前面と、からなる上面視五角形状の外筐体と、
前記前面の少なくとも一部に前面開口部と、
前記外筐体の底面に底面開口部と、
前記前面開口部に設けられた所定奥行きの固定収納空間と、
前記固定収納空間の後方に設けられた可動棚と、を有し、
前記可動棚は前記固定収納空間背面に設けられた昇降ベース材によって、前記外筐体内部から前記底面開口部を通過して下方に昇降可能に接続され、
前記昇降ベース材と前記可動棚は、少なくとも前記可動棚が最下端に到達した場合に前方方向にスライド自在に連結されていることを特徴とする昇降式ウォールキャビネット。
【請求項２】
前記可動棚の重心が、前記第一の壁面と前記第二の壁面の中線上にあることを特徴とする請求項１に記載の昇降式ウォールキャビネット。
【請求項３】
前記ベース部材が電気的に昇降可能にする機構部を備え、
電気的な駆動力によって可動棚が昇降可能であることを特徴とする請求項１または請求項２に記載の昇降式ウォールキャビネット
【請求項４】
前記機構部によって、電気的な駆動力によって可動棚が前方方向にスライド可能であることを特徴とする請求項３に記載の昇降式ウォールキャビネット
【発明の詳細な説明】
【技術分野】
【０００１】
本発明は、台所の上方壁面に取り付けて使用する電動で可動する昇降式ウォールキャビネットに関し、特に直交する壁二面にまたがって設置されるコーナー用ウォールキャビネットに好適な発明である。
【背景技術】
【０００２】
壁二面が直交する角部に設置されたシステムキッチンにおいて、コーナーに設置されたコーナー用ウォールキャビネットは、カウンター前からコーナーの奥行方向に向って奥行きが大きく収納物出し入れの作業がしづらい。また、コーナー用ウォールキャビネットの内部は収納空間が異形であり収納効率も悪く、また収納空間の容量や奥行の大きさに対して収納物出し入れのための開口面積が構造的に制限され狭小であり使い勝手の悪いものとなっている。
ここで、コーナーの奥行き方向とは直交する二面壁の中線方向を指し、後方とは奥側コーナー方向を意味し、前方は壁コーナーからカウンタを隔てた作業場方向を意味する。
【０００３】
そこでキャビネット後方にキャビネットから垂直方向下方に昇降する引き出しを具備した収納棚を有するものが提案されている。これによりウォールキャビネット後方のアプローチしづらい収納空間が下方に移動するため収納物の出し入れを楽にし、さらに収納棚の引き出しが二面の壁に向って奥側に位置し、その引き出しの収納空間はコーナーから遠ざかるようにスライドするため、手の届きやすい位置に移動させ、収納物の出し入れのしやすさを改善している。（例えば、特許文献１参照。）
【０００４】
この提案では、キャビネット内に存在する収納空間がキャビネットケース、引き出しケース、引き出しと最低三重構造を有し、収納空間を大きく犠牲にし、コストも高いものとなっていた。また引き出しのスライド方向はそれぞれの壁に沿ってコーナーから遠ざかるようにスライドするためコーナー部からずれたポジションで一方の壁に正対した場合、直交するもうひとつの壁にそってスライドする引き出しの使い勝手は収納空間がほとんど近づかずスライドする意味がないものとなっている。
【０００５】
また、別の提案ではモーターを使用して電気的に昇降棚を上げ下げし、さらに奥行き方向手前側にスライドして収納物の出し入れの使い勝手を改善するものが提案されている。（例えば、特許文献２参照。）
【０００６】
しかし、コーナーに設置した場合単に壁から直角方向にスライドさせるよりコーナーの奥行方向にスライドさせる方が奥行きのあるコーナーでは使い勝手上適している。しかし図５に示すように、昇降ベース部材３００からスライド手段３０１により昇降棚５００を斜めにスライドさせると昇降ベース部材３００に固定された動滑車４２４が固定された吊り元に対して負荷荷重重心がずれ、また非対称の方向へスライド移動させるため両側吊り元の負荷バランスが崩れ、作動が不安定になったり重たくなり、その対策のため吊り元の補強、スライド手段の剛性アップなどが必要になってくるなどの課題がある。  
【先行技術文献】
【特許文献】
【０００７】
【特許文献１】特開２００８−１２５５８３公報（第１１頁、第５図、第６図）
【特許文献２】特開２００３−２４５１４３号公報（第８頁、第６図）
【発明の概要】
【発明が解決しようとする課題】
【０００８】
本発明は、上記問題を解決するためになされたもので、本発明の課題は、コーナー用ウォールキャビネットであって、簡単な構成で、収納物を楽な姿勢で且つ容易に出し入れできるように形成し、しかもコーナーの奥行方向へのスライド作動をスムーズにし、どのスライド位置であっても安定した状態で収納棚を支持固定できる昇降式ウォールキャビネットを提供することにある。
【課題を解決するための手段】
【０００９】
上記目的を達成するための本発明によれば、部屋の入隅上方に設置する昇降式ウォールキャビネットであって、部屋の第一の壁面に固定される第一の裏面と、部屋の第二の壁面に固定される第二の裏面と、前記第一の裏面と略垂直に連結された第一の側板と、前記第二の裏面と着垂直に連結された第二の側板と、前記第一の側板の前端部と、前記第二の側板の前端部を結んだ前面と、からなる上面視五角形状の外筐体と、前記前面の少なくとも一部に前面開口部と、前記外筐体の底面に底面開口部と、前記前面開口部に設けられた所定奥行きの固定収納空間と、前記固定収納空間の後方に設けられた可動棚と、を有し、前記可動棚は前記固定収納空間背面に設けられた昇降ベース材によって、前記外筐体内部から前記底面開口部を通過して下方に昇降可能に接続され、前記昇降ベース材と前記可動棚は、少なくとも前記可動棚が最下端に到達した場合に前方方向にスライド自在に連結されていることを特徴とする昇降式ウォールキャビネットが提供される。
【発明の効果】
【００１０】
この発明によれば、外筐体前方の固定収納空間は、比較的手が届きやすい部分であるため、下降させずとも収納物を出し入れできる。また、外筐体のコーナーの奥行方向後方側に配置した可動棚は、機構部によって外筐体の底部開口部から下方に下降させることができるため、可動棚内の収納物を使用者の手が届く位置に移動させることができる。可動棚は手前に引き寄せることができるため、可動棚の奥側の収納物にも楽に手が届く。さらに、可動棚の前面は大きく開口しているため、収納物の出し入れはしやすくなる。また、外筐体のコーナーの奥行き方向を固定収納空間と可動棚とに前後方向に二分割するため、それぞれの収納空間を浅くし収納物出し入れの使い勝手を改善している。
【００１１】
また、第二の発明によれば、図６に示したように、可動棚の重心が、前記第一の壁面と前記第二の壁面の中線上にあるため、コーナー奥行方向のスライド動作が安定するとともに、安定した支持固定が可能となる。
【００１２】
また、第三の発明によれば、電気駆動により可動棚を昇降させることが可能になるため、収納物の重量が増大しても、可動棚の使い勝手が低下しない。
【００１３】
また、第四の発明によれば、電気駆動により可動棚を前後に駆動させることが可能となるため、より使い勝手が向上する。
【図面の簡単な説明】
【００１４】
【図１】本発明のシステムキッチン組み込み状態を示す外観図である。
【図２】本発明の昇降式ウォールキャビネットの構成示す斜視図である。
【図３】本発明の内部昇降機構の構成を示す斜視図である。
【図４】本発明の昇降式ウォールキャビネット動作の形態示す断面図である。
【図５】特許文献２の構成を示す上方からの透視図である。
【図６】本発明の構成を示す上方からの透視図である。
【発明を実施するための形態】
【００１５】
以下、本発明の実施形態を、図を用いて説明する。
図１は本発明の昇降式ウォールキャビネット１のシステムキッチンへの組み込み状態を示す外観図で、二面の壁が直交する上方に取り付けられ、壁にそって他のウォールキャビネット１１０、１１１、１１２、フード１１３が並設され、下方にはＬ字型のカウンタ１２０備え付けられている。
【００１６】
図２により本発明の昇降式ウォールキャビネット１の構成を説明する。なお、各部の構造を見やすくするため図の一部を透視図としている。
昇降式ウォールキャビネット１は、壁に固定された外筐体１００と、外筐体１００内の後方で上下に移動する昇降ベース部材３００と、昇降ベース部材３００を上下に移動させる昇降装置４００と、昇降ベース部材３００に吊り下げられ外筐体１００の底面開口部から上下方向に進退する昇降棚５００と、で構成される。なお、昇降棚５００は昇降ベース部材３００にコーナー奥行き方向前方にスライド自在となるように吊り下げられている。
【００１７】
外筐体１００は、二面の壁に当接固定する外筐体裏板１０２Ｒ、１０２Ｌと、各外筐体裏板１０２と垂直に備え付けられた外筐体側板１０３Ｒ（透視図のため図示せず）、１０３Ｌと、外筐体天板１０４と、外筐体１００の前方下部の外筐体底板１０７と、で形成される。
外筐体裏板１０２Ｒ、１０２Ｌの幅寸法、すなわちコーナーから垂直に外筐体側板１０３Ｒ、１０３Ｌが立ち上がる位置は略等しいことが望ましい。
【００１８】
固定収納空間２００は、外筐体１００を前後に仕切る仕切り板２０１と、外筐体底板１０７と、外筐体側板１０３Ｒ、１０３Ｌと、外筐体天板１０４で５面を囲われた空間であり、前方１面が開口されている。なお開口された面には図示しない化粧扉によって開閉自在に覆われている。また、固定収納空間２００には、外筐体側板１０３Ｒ、１０３Ｌから渡した固定収納棚板２０２が備え付けられている。
【００１９】
昇降棚５００は、外筐体裏板１０２二面に対し各平行な二面の昇降棚側板５０１Ｒ、５０１Ｌと、昇降棚天板５０２と、昇降棚底板５０３と、各昇降棚側板５０１Ｒ、５０１Ｌから渡した昇降棚棚板５０４と、昇降棚天板５０２の上面に固定され昇降ベース部材３００とコーナーの奥行き方向前方に昇降棚５００がスライド可能なように連結する前方スライドレール３０１とで構成される。
【００２０】
昇降装置４００（図３に追記）を図３で説明する。図３は、外筐体１００の内部を示した図であり、外筐体裏板１０２以外は図示していない透視図である。
昇降装置４００は、外筐体天板１０４裏面の略中央に配置した昇降の駆動源であるモーター４２０と、モーター４２０の回転軸とギヤヘッド（図示せず）を介して回転する巻取りボビン４２２と、外筐体天板１０４の裏に固定され巻き取りボビン４２２の軸を保持する巻き取りボビンホルダー４２１と、巻取りボビン４２２に一端を固定したベルト４２５と、外筐体天板１０４の裏に固定されベルト４２５を巻き掛けた定滑車４２３と、定滑車４２３から伸びたベルト４２５をさらに巻き掛けた動滑車４２４と、外筐体裏板１０２に固定され動滑車４２４の上下方向をガイドするスライドレール４２６と、駆動源であるモーターの電源及びモーター駆動を制御する制御ボックス４２７と、制御ボックス４２７と外筐体外側で信号線４２９により繋がれた操作部４２８と、動滑車４２４に連結された昇降ベース部材３００の上下の所定位置を検出する図示しないリミットスイッチと、で形成される。なお、一端が巻取りボビン４２２に固定されたベルト４２５は、定滑車４２３、動滑車４２４の順に巻きかけられ、他端は定滑車４２３に固定されている。
【００２１】
昇降ベース部材３００は、下面が昇降棚天板５０２とスライドレール３０１にて連結されており、上面が昇降装置４００の動滑車４２４と連結されている。
【００２２】
次に本発明の昇降式ウォールキャビネット１の動作について図４（a）（ｂ）（ｃ）により説明する。図４は図２の破線を下方に垂直に切った断面を示した断面図であり、各図の右側が後方、左側が前方となる。よって使用者は図の左側に立ち操作を行う。なお、以下の説明では、図４で図示されない構成部材についても前述で説明した構成部材については、同じ番号を付与して説明する。
【００２３】
図４（ａ）は昇降棚５００が外筐体１００に格納された状態であり、巻取りボビン４２２にベルト４２５が巻き上げられ、昇降棚底板５０３の下面が外筐体底板１０７の下面と略面一となっている。この時、使用者は、図示しない扉を開放することにより固定収納空間２００内の収納物物を出し入れすることができる。
【００２４】
昇降式ウォールキャビネット１の後方にある昇降棚５００内の収納物を出し入れする場合、使用者は昇降棚５００を下降させるために、操作部４２８の下降スイッチを押す。下降スイッチの信号は制御ボックス４２７に送られ、制御ボックス４２７はモーター４２０を所定方向に回転させる。モーター４２０が回転することでギヤヘッドを介して巻取りボビン４２２がベルト４２５を緩ませる方向に回転し、ベルト４２５に巻き掛けた動滑車４２４と動滑車４２４に連結された昇降ベース部材３００および昇降棚５００が下降する。
【００２５】
図４（ｂ）に示すように、昇降ベース部材３００の下面が外筐体底板１０７の下面と略面一となる位置まで下降すると、図示しないリミットスイッチが入り、その信号が制御ボックス４２７に送られ、モーター４２０を停止することで昇降棚５００の下降が自動停止する。この状態で昇降棚５００への収納物の出し入れが可能となる。
【００２６】
さらに図４（ｃ）に示すように、下降した昇降棚５００を使用者が手動により前方に引き出すことができる。使用者は、下降した昇降棚５００を前方に引張ると、昇降棚５００はスライドレール３０１により手前側にスライドすることになる。こうすることで昇降棚の奥まった部分までも手が届き、収納物の出し入れが非常にしやすくるなる。
なお、図４（ｂ）および（ｃ）の状態においても、使用者は、図示しない扉を開放することにより固定収納空間２００内の収納物物を出し入れすることができる。
【００２７】
昇降棚５００への収納物の出し入れが終わり、昇降棚５００を外筐体１００に再び格納する場合、使用者は、まず、手動により昇降棚５００を押し込み、図４（ｂ）の状態とする。その後、操作部の上昇スイッチを押してモーター４２０を下降時とは逆の方向に回転させることで巻取りボビン４２２がベルト４２５を巻き上げ、動滑車４２４および昇降ベース部材３００および昇降棚５００を上昇さる。昇降ベース部材３００が図４（ａ）に示すような所定位置に来ると、リミットスイッチが入り、その信号が制御部４２７に送られ、モーター４２０が停止し、昇降棚５００の上昇が停止する。よって昇降棚５００は外筐体１００に格納される。
【００２８】
図６に本発明の昇降式ウォールキャビネット１の上面視図を示す。
昇降棚５００が昇降ベース部材３００の定位置から前方にスライドする時、昇降棚の荷重重心は常にほぼ二面壁の中線上に存在しており、その中線を対称線とした位置に備え付けられた一対の前方スライドレール３０１は昇降棚荷重をバランスよく受け、安定した動作が可能となる。
【００２９】
以上、本発明の好ましい実施例について述べたが、本発明は上記実施例に限られるものではなく、本発明の範囲を逸脱しない範囲において自由に設計できるものである。
例えば、昇降棚の昇降は上記の実施例に示した例に限らず、アクチュエータを用いた昇降や、手動での昇降など自由に設定でき、可動棚の前方への引出も手動に限らず、電気駆動式とすることも出来る。
【符号の説明】
【００３０】
１    …昇降式ウォールキャビネット
１００…外筐体
１０２R、L…外筐体裏板
１０３R、L…外筐体側板
１０４…外筐体天板
１０７…外筐体底板
２００…固定収納空間
２０１…仕切り板
２０２…固定収納棚板
３００…昇降ベース部材
３０１…前方スライドレール
４００…昇降装置
４２０…モーター
４２１…巻き取りボビンホルダー
４２２…巻き取りボビン
４２３…定滑車
４２４…動滑車
４２５…ベルト
４２７…制御ボックス
４２８…操作部
４２９…信号線
５００…昇降棚
５０１R、L…昇降棚側板
５０２…昇降棚天板
５０３…昇降棚底板
５０４…昇降棚棚板
【図１】
2010252936.tif 000003
【図２】
2010252936.tif 000004
【図３】
2010252936.tif 000005
【図４】
2010252936.tif 000006
【図５】
2010252936.tif 000007
【図６】
2010252936.tif 000008